(57)【要約】【課題】  処置具挿入部をコンパクトに収納できるとともに、収納時の処置具挿入部への負担及び作動時の抵抗を軽減することができる内視鏡用処置具を提供すること。【解決手段】  回転ドラム７には、凹部２２Ｂ側から外周面２２Ａ側へ鉗子挿入部６を挿通可能な通路２３が配されている。また、回転ドラム７の径方向から巻回方向側となる接線方向へ鉗子挿入部６の先端側の向きを漸次変化させながら巻取部２２の外周面２２Ａの周方向へ鉗子挿入部６をガイドする案内部２５が通路２３に配されている。  案内部２５は、鉗子挿入部６を所定曲率で湾曲させる湾曲面部２５Ａを備えている。【選択図】  図６
2006068075.tif 000002
【特許請求の範囲】
【請求項１】
生体に処置を行う処置部を先端部側に有し、内視鏡の鉗子チャンネルに挿通可能な処置具挿入部と、
該処置具挿入部の基端部側を回転中心近傍位置に固定するとともに、該基端部以外の部分を巻回して収納する巻回部を有する回転ドラムとを備え、
前記回転ドラムには、前記処置具挿入部を、前記基端部側から先端部側にかけて該回転ドラムの径方向から接線方向へと漸次傾斜させて、前記巻回部へとガイドする案内部が形成されていることを特徴とする内視鏡用処置具。
【請求項２】
前記案内部が、前記処置具挿入部を所定曲率で湾曲させる湾曲面部を備えていることを特徴とする請求項１に記載の内視鏡用処置具。
【請求項３】
前記回転ドラムを回転可能に支持するとともに、前記処置具挿入部の先端部側を外部へと導出する開口部を有するハウジングを備え、
該ハウジングが、前記内視鏡に着脱可能とされていることを特徴とする請求項１又は請求項２に記載の内視鏡用処置具。
【請求項４】
生体に処置を行う処置部を先端部側に有して内視鏡の鉗子チャンネルに挿通可能な処置具挿入部と、
該処置具挿入部の基端部側を回転中心近傍位置に固定するとともに、該基端部側以外の部分を巻取面部に巻回して収納する回転ドラムと、
該回転ドラムを回転可能に支持するとともに、前記処置具挿入部の先端部側を外部へと導出する開口部を有するハウジングと、
が備えられ、
前記開口部が、前記内視鏡の鉗子口と前記回転ドラムの回転中心とを結ぶ直線上に開口するように形成されていることを特徴とする内視鏡用処置具。
【請求項５】
前記ハウジングが、前記内視鏡に着脱可能とされていることを特徴とする請求項４に記載の内視鏡用処置具。
【発明の詳細な説明】
【技術分野】
【０００１】
本発明は、内視鏡用処置具に関する。
【背景技術】
【０００２】
内視鏡用処置具は、内視鏡の鉗子チャンネルを介して体腔内に挿入する際、処置具挿入部が長く、その取扱いが煩わしい。そこで、ケースに入ったロール状の部材に巻回してコンパクトに収納し、使用時にはケースから処置具挿入部を取り出しながら内視鏡の鉗子チャンネルに挿入し、ケースに設けられた処置具操作部で操作する内視鏡用処置具が提案されている（例えば、特許文献１参照。）。
【０００３】
一方、回転ドラム等の回転体に、中心方向から外周方向に向かって処置具挿入部を巻回する際、巻き始める部分で挿入部が急激に曲げられるため、ドラム外周面が処置具挿入部によって摩損されやすい。そこで、ドラムの摩耗を防止するためにドラムに貼付するシートが提案されている（例えば、特許文献２参照。）。
【特許文献１】米国特許第５６９５４９１号明細書  （第１図）
【特許文献２】特開２００３−１３５３７０号公報  （第３図）
【発明の開示】
【発明が解決しようとする課題】
【０００４】
しかしながら、上記特許文献１に記載の技術では、収納装置が内視鏡と独立して配せられているため、処置具の操作時には収納装置が内視鏡から離れていて収納装置が支持されていないので操作しにくい。また、内視鏡を動かす際に収納装置が追従しないので、収納装置が内視鏡の動きの妨げになってしまう場合がある。さらに、処置具挿入部の挿抜時に回転体が回転すると処置具の操作部がこれに伴って一緒に回転して周囲に干渉してしまう問題がある。
【０００５】
また、上記特許文献２に記載の技術では、処置具挿入部が急激に曲げられることによってドラム側のみならず処置具挿入部側にも曲げによるダメージが発生し、過度の屈折によって処置具挿入部が座屈する可能性があり、処置具の操作性に影響を及ぼすことがある。
本発明は上記事情に鑑みて成されたものであり、処置具挿入部をコンパクトに収納できるとともに、収納時の処置具挿入部への負担及び作動時の抵抗を軽減することができる内視鏡用処置具を提供することを目的とする。
【課題を解決するための手段】
【０００６】
本発明は、上記課題を解決するため、以下の手段を採用する。
本発明に係る内視鏡用処置具は、生体に処置を行う処置部を先端部側に有し、内視鏡の鉗子チャンネルに挿通可能な処置具挿入部と、該処置具挿入部の基端部側を回転中心近傍位置に固定するとともに、該基端部以外の部分を巻回して収納する巻回部を有する回転ドラムとを備え、前記回転ドラムには、前記処置具挿入部を、前記基端部側から先端部側にかけて該回転ドラムの径方向から接線方向へと漸次傾斜させて、前記巻回部へとガイドする案内部が形成されていることを特徴とする。
【０００７】
この内視鏡用処置具は、処置具挿入部を回転ドラムの巻回部に沿う方向に巻き始める際、処置具挿入部の基端部側から先端部側に向かって案内部に沿わせることによって、巻回部の巻回方向にスムーズに処置具挿入部を誘導することができる。
【０００８】
また、本発明に係る内視鏡用処置具は、前記内視鏡用処置具であって、前記案内部が、前記処置具挿入部を所定曲率で湾曲させる湾曲面部を備えていることを特徴とする。
この内視鏡用処置具は、湾曲面部に沿って巻き取ることによって、処置具挿入部に局所的な負荷がかかるのを抑えることができる。
【０００９】
また、本発明に係る内視鏡用処置具は、前記内視鏡用処置具であって、前記回転ドラムを回転可能に支持するとともに、前記処置具挿入部の先端部側を外部へと導出する開口部を有するハウジングを備え、該ハウジングが、前記内視鏡に着脱可能とされていることを特徴とする。
【００１０】
この内視鏡用処置具は、処置の際にハウジングを内視鏡に装着することによって回転ドラムを内視鏡の近傍に配することができ、従来のように、処置の際に内視鏡とハウジングとの間における処置具挿入部の取り扱いが煩わしくなるのを好適に抑えることができる。また、処置を行わない場合にはハウジングを取り外すことができ、処置具挿入部や回転ドラムが内視鏡操作の邪魔になるのを抑えることができる。
【００１１】
また、本発明に係る内視鏡用処置具は、前記内視鏡用処置具であって、生体に処置を行う処置部を先端部側に有して内視鏡の鉗子チャンネルに挿通可能な処置具挿入部と、
該処置具挿入部の基端部側を回転中心近傍位置に固定するとともに、該基端部側以外の部分を巻取面部に巻回して収納する回転ドラムと、該回転ドラムを回転可能に支持するとともに、前記処置具挿入部の先端部側を外部へと導出する開口部を有するハウジングと、が備えられ、前記開口部が、前記内視鏡の鉗子口と前記回転ドラムの回転中心とを結ぶ直線上に開口するように形成されていることを特徴とする。
この内視鏡用処置具は、処置の際、開口部から突出する処置具挿入部を鉗子口に対して直線上に配することができ、処置部の操作をスムーズに行うことができる。
【００１２】
また、本発明に係る内視鏡用処置具は、前記内視鏡用処置具であって、前記ハウジングが、前記内視鏡に着脱可能とされていることを特徴とする。
この内視鏡用処置具は、処置の際に内視鏡とハウジングとの間における処置具挿入部の取り扱いが煩わしくなるのを好適に抑えることができ、処置をしないときには取り外すことによって内視鏡操作の邪魔になるのを抑えることができる。
【発明の効果】
【００１３】
本発明によれば、処置具挿入部を屈曲させることなく緩やかに回転ドラムに巻き取ることができ、処置具挿入部へのダメージを軽減して処置部の操作を容易に行うことができる。
【発明を実施するための最良の形態】
【００１４】
本発明に係る第１の実施形態について、図１から図６を参照して説明する。
本実施形態に係る鉗子（内視鏡用処置具）１は、図１から図３に示すように、生体に処置を行う鉗子部（処置部）２を先端部側に有し、内視鏡３の鉗子チャンネル５に挿通可能な鉗子挿入部（処置具挿入部）６と、鉗子挿入部６の基端部を回転中心近傍位置に露出して基端部側を固定するとともに、基端部以外の部分を巻回して収納する回転ドラム７と、回転ドラム７を内部で回転可能に支持するとともに、鉗子挿入部６の先端部側を外部へと導出する開口部８を有するハウジング１０とを備えている。
【００１５】
鉗子挿入部６は、可撓性の操作管部１１と、操作管部１１の内部に進退自在に延びて鉗子部２に操作力を伝達する操作ワイヤ部１２とを備えている。
回転ドラム７から露出した操作管部１１の基端には、回転ドラム７に固定された管状の基部１３Ａと、基部１３Ａの端部に接続されたフランジ部１３Ｂとからなる第１の接続部１３が設けられている。
【００１６】
操作ワイヤ部１２は、図４（ａ）〜（ｄ）に示すように、撚線とされて相対的に径の太い中央ワイヤ１５と、中央ワイヤ１５の外周に中央ワイヤ１５の軸方向に沿って配された相対的に径の細い複数の単線ワイヤ１６とを備えている。
単線ワイヤ１６は、図４（ａ）（ｂ）に示すように、接着剤１２Ａで中央ワイヤ１５に固定されていてもよく、図４（ｃ）（ｄ）に示すように、中央ワイヤ１５に撚られていてもよい。
【００１７】
回転ドラム７から露出した操作ワイヤ部１２の基端には、球状の第１のワイヤ端部１７Ａと、第１のワイヤ端部１７Ａから先端側に一定の間隔で離間してフランジ状に形成された第２のワイヤ端部１７Ｂと、第１のワイヤ端部１７Ａと第２のワイヤ端部１７Ｂとを接続する管状の係止部１７Ｃとからなる第２の接続部１７が設けられている。
また、フランジ部１３Ｂと第２のワイヤ端部１７Ｂとの間には、これらの間隔を保持するバネ部材１８が配設されている。
【００１８】
回転ドラム７は、図３、図５及び図６に示すように、２つの側板２０、２１と、これらに挟まれて外周面（巻回部）２２Ａに鉗子挿入部６が巻回される巻取部２２とを備えている。巻取部２２の中心部には、鉗子挿入部６の基端部が露出して配された凹部２２Ｂが側板２０側に開口して形成されている。
回転ドラム７には、凹部２２Ｂ側から外周面２２Ａ側へ鉗子挿入部６を挿通可能な通路２３が配されている。また、鉗子挿入部６を、基端部側から先端部側にかけて回転ドラム７の径方向から接線方向へと漸次傾斜させて、巻取部２２の外周面２２Ａの周方向へガイドする案内部２５が通路２３に配されている。
案内部２５は、鉗子挿入部６を所定曲率で湾曲させる湾曲面部２５Ａを備えている。
【００１９】
ハウジング１０には、内視鏡３の鉗子口２６近傍の操作部２７に配された係合孔２８に着脱可能とされる取付部３０が配設されている。この取付部３０は、係合孔２８に係合させた際にハウジング１０を内視鏡３に対して回転可能とされている。
また、ハウジング１０には回転ドラム７を回転自在に支持する軸受３１が配されている。
【００２０】
次に、本実施形態に係る鉗子１の操作方法、及び、作用・効果について、鉗子１が生検鉗子の場合を例に説明する。
まず、鉗子挿入部６が回転ドラム７の巻取部２２の外周面に巻回され、鉗子部２が開口部８から突出した状態の鉗子１を用意して、内視鏡３の係合孔２８に鉗子１の取付部３０を挿入して装着する。
続いて、内視鏡３の挿入部３２を体腔内に挿入する。このとき、内視鏡３の操作の邪魔にならないように、ハウジング１０の向きを調整しておく。
【００２１】
挿入部３２を挿入後、生検を行う際は、開口部８から突出した鉗子挿入部６の先端を把持して鉗子口２６から鉗子チャンネル５内に押し込む。このとき、押し込み操作に伴って、回転ドラム７がハウジング１０に対して回転し、鉗子挿入部６がスムーズに鉗子チャンネル５内に送り出される。
鉗子部２を鉗子チャンネル５の先端から所望の位置まで突出させた後、バネ部材１８が縮む方向に第２の接続部１７を第１の接続部１３側に接近させる。このとき、操作管部１１に対して操作ワイヤ部１２が先端側に前進して鉗子部２が開く。
【００２２】
組織を掴む際には、第２の接続部１７を第１の接続部１３から離間する方向に移動して、操作管部１１に対して操作ワイヤ部１２を基端側に後退させ鉗子部２を閉じる。この状態で鉗子口２６と開口部８との間に露出した鉗子挿入部６を引っ張り、組織をちぎって採取する。
【００２３】
組織を採取後、鉗子口２６と開口部８との間に露出した鉗子挿入部６を把持して、鉗子挿入部６を開口部８からハウジング１０内に押し込む。このとき、軸受３１によって回転ドラム７が回転し、巻取部２２の外周面２２Ａに鉗子挿入部６が巻回される。この際、押し込み力の大きさによっては、鉗子挿入部６が外周面２２Ａの接線方向にそのまま飛び出す場合があるが、ハウジング１０の内周面に当たって回転ドラム７に跳ね返され、そのまま巻回される。
【００２４】
この鉗子１によれば、鉗子挿入部６を巻取部２２の外周面２２Ａに沿う方向に巻き始める際、鉗子挿入部６の基端部側から先端部側に向かって案内部２５に沿わせることによって、外周面２２Ａの周方向にスムーズに鉗子挿入部６を誘導することができる。
この際、案内部２５の湾曲面部２５Ａに沿って巻き取ることによって、鉗子挿入部６に局所的な負荷がかかるのを抑えることができる。したがって、鉗子挿入部６の基端部側を回転ドラム７に固定した状態でも鉗子挿入部６の局部的な屈曲を抑え、操作管部１１に対して操作ワイヤ部１２を進退自在に操作でき、鉗子部２の操作をスムーズに行うことができる。
【００２５】
また、処置の際にハウジング１０を内視鏡３の操作部２７に装着することによって、回転ドラム７を内視鏡３の鉗子口２６の近傍に配することができ、処置の際に内視鏡３とハウジング１０との間における鉗子挿入部６の取り扱いが煩わしくなるのを好適に抑えることができる。さらに、処置を行わない場合にはハウジング１０を取り外すことができ、鉗子挿入部６や回転ドラム７が内視鏡操作の邪魔になるのを抑えることができる。
【００２６】
次に、第２の実施形態について図７及び図８を参照しながら説明する。
なお、上述した第１の実施形態と同様の構成要素には同一符号を付すとともに説明を省略する。
第２の実施形態と第１の実施形態との異なる点は、本実施形態に係る鉗子３５のハウジング３６に配された開口部３７が、内視鏡３８の鉗子口２６と回転ドラム７の回転中心Ｃとを結ぶ直線上に開口するように形成されているとした点である。
【００２７】
ハウジング３６の開口部３７は、ハウジング３６の側面に沿って鉗子挿入部６が挿通可能なスリット３７Ａを備えている。
内視鏡３８の操作部４０には、先端に係合孔２８が配された腕部４１が立設されており、取付部３０は、ハウジング３６の取付部３０を腕部４１の係合孔２８に装着した際に、鉗子口２６の中心軸Ｃ１上に通路２３及び回転中心Ｃとが配されるように形成されている。
【００２８】
次に、本実施形態に係る鉗子３５の操作方法、及び、作用・効果について説明する。
まず、第１の実施形態と同様にハウジング３６を内視鏡３８の係合孔２８に装着するとともに、図８（ａ）に示すように、鉗子挿入部６をハウジング３６の開口部３７から取り出して鉗子口２６から鉗子チャンネル５内に挿通する。
回転ドラム７の巻取部２２に巻回された鉗子挿入部６が全て外れた際には、鉗子挿入部６がスリット３７Ａ内に進入し、図８（ｂ）に示すように、鉗子挿入部６が鉗子口の中心軸Ｃ１上に略一致する方向とされる。
この状態で、第１の実施形態と同様の操作を行い所定の処置を行う。
【００２９】
鉗子挿入部６を巻き取る際には、第１の実施形態と同様に鉗子挿入部６を把持してハウジング３６内に押し込む。
このとき、回転ドラム７の回転に伴い鉗子挿入部６がハウジング３６のスリット３７Ａから開口部３７に移動するとともに、巻取部２２の外周面２２Ａに巻回される。
【００３０】
この鉗子３５によれば、処置の際、開口部３７から突出する鉗子挿入部６を鉗子口２６に対して直線上に配するため、鉗子挿入部６の屈曲による操作管部１１と操作ワイヤ部１２との間の摺動抵抗を抑えることができ、操作管部１１に対する操作ワイヤ部１２の進退操作を自在に行い鉗子部２の操作をスムーズに行うことができる。
【００３１】
次に、第３の実施形態について図９及び図１０を参照しながら説明する。
なお、上述した他の実施形態と同様の構成要素には同一符号を付すとともに説明を省略する。
第３の実施形態と第１の実施形態との異なる点は、第１の実施形態に係る回転ドラム７には案内部２５が配されているとしているが、本実施形態に係る鉗子５５の回転ドラム５６には、回転ドラム５６の外周面５７に開口するとともに、回転ドラム５６の厚さ方向に向かって漸次傾斜して鉗子挿入部６をガイドする誘導傾斜面５８Ａを形成して鉗子挿入部６を内部に収納する穴部５８が外周面５７近傍に配され、穴部５８の穴部開口５８Ｂがハウジング６０の開口部６１と対向する位置に配されているとした点である。
【００３２】
回転ドラム５６は略円柱状に形成されており、回転ドラム５６の外周面５７とハウジング６０との間には僅かな隙間が設けられている。そして、外周面５７の一部が、穴部５８に対して鍔状に形成されている。
ハウジング６０の開口部６１の開口幅と穴部開口５８Ｂの開口幅とは、鉗子挿入部６の外径と略同一の大きさとされている。
【００３３】
次に、本実施形態に係る鉗子５５の操作方法、及び、作用・効果について説明する。
まず、第１の実施形態と同様にハウジング６０を係合孔２８に装着するとともに、鉗子挿入部６をハウジング６０の開口部６１から取り出しながら、鉗子口２６から鉗子チャンネル５内に挿通する。
この状態で、第１の実施形態と同様の操作を行い鉗子部２を操作する。
【００３４】
第１の実施形態と同様に組織を採取後、鉗子口２６と開口部６１との間に露出した鉗子挿入部６を把持して、鉗子挿入部６を開口部６１からハウジング６０内に押し込む。このとき、軸受３１によって回転ドラム５６が回転し、回転ドラム５６の誘導傾斜面５８Ａに鉗子挿入部６が巻回される。この際、ハウジング６０の開口部６１から挿入した鉗子挿入部６はそのまま回転ドラム５６の穴部開口５８Ｂ内に挿入され、誘導傾斜面５８Ａに沿って穴部５８内にガイドされて穴部５８の奥側から順次巻回されていく。
【００３５】
この鉗子５５によれば、鉗子挿入部６を巻き取る際、開口部６１からハウジング６０内部に挿入した鉗子挿入部６を誘導傾斜面５８Ａに当接させながら穴部５８内に巻き取ることができる。したがって、鉗子挿入部６が巻取り力によって回転ドラム５６の径方向外方へ拡開しようとしても穴部５８の鍔状の内面がこれを規制することができるとともに、拡開しようとする力が回転ドラム５６をさらに回転させるので、鉗子挿入部６を安定して巻回することができる。
【００３６】
また、鉗子挿入部６の巻き取りの際、開口部６１と穴部開口５８Ｂとが対向しており、何れの開口幅も鉗子挿入部６の外径と略同一とされているので、鉗子挿入部６を巻き取る際に、開口部６１から直接穴部５８内に収納することができ、穴部５８内で鉗子挿入部６を重ならずに巻回することができる。
【００３７】
次に、第４の実施形態について図１１及び図１２を参照しながら説明する。
なお、上述した他の実施形態と同様の構成要素には同一符号を付すとともに説明を省略する。
第４の実施形態と第３の実施形態との異なる点は、本実施形態に係る鉗子６５の回転ドラム６６の隅部が面取りされて傾斜面６７とされ、穴部６８が、傾斜面６７に開口するとともに回転ドラム６６の厚さ方向に向かって形成され、ハウジング６９の傾斜面６７と対向する位置には、傾斜面６７と略平行とされて鉗子挿入部６を穴部６８にガイドする誘導傾斜面６９Ａが形成され、ハウジング６９の開口部６１と穴部６８の穴部開口６８Ａとが対向して配されているとした点である。
この鉗子６５も、第３の実施形態と同様の操作方法によって同様の作用・効果を得ることができる。
【００３８】
なお、本発明の技術範囲は上記実施の形態に限定されるものではなく、本発明の趣旨を逸脱しない範囲において種々の変更を加えることが可能である。
例えば、上記実施形態では、鉗子部２は鉗子挿入部６に予め接続されて一体とされているが、図１３に示すように、鉗子部２を先端に配した鉗子先端部７０が鉗子挿入部７１と着脱自在とされているものとしても構わない。
【００３９】
この場合、操作ワイヤ部７２が、鉗子先端部７０側の第１の操作ワイヤ部７３と、鉗子挿入部７１側の第２の操作ワイヤ部７５とされ、操作管部７６が、鉗子先端部７０側の第１の操作管部７７と、鉗子挿入部７１側の第２の操作管部７８とされている。
そして、第１の操作ワイヤ部７３の基端側と第２の操作ワイヤ部７５の先端側とを、鉗子先端部７０の中心軸Ｃ２と鉗子挿入部７１の中心軸Ｃ３とが直交する状態で嵌合し、互いの中心軸が一致する状態で係合する第１の係合手段８０と、第１の操作管部７７の基端側と第２の操作管部７８の先端側とを、第１の係合手段８０を回動中心として鉗子先端部７０と鉗子挿入部７１との中心軸を一致させた状態で係合する第２の係合手段８１とを備えている。
【００４０】
第１の係合手段８０は、帯状の薄板で形成されて第１の操作ワイヤ部７３の基端に接続され、端部側に軸方向に幅広な貫通孔８２Ａを有する第１の連結部材８２と、中心軸Ｃ３に沿って略半円筒形に形成されて第２の操作ワイヤ部７５の先端に接続され、中心軸Ｃ３を含む平面部分８３Ａから貫通孔８２Ａに嵌合可能に突出した突状部８３Ｂを有する第２の連結部材８３とを備えている。  
また、第２の係合手段８１は、第１の操作管部７７の基端に設けられた操作管フランジ部８５と、第２の操作管部７８の先端に設けられ突状部８３Ｂの突出方向から操作管フランジ部８５を挿入可能な切欠部８６Ａと操作管フランジ部８５と係合可能とされて操作管フランジ部８５の軸方向の移動を規制する規制部８６Ｂとを有する支持手段８６とを備えている。
【００４１】
ハウジング８７の開口部８８には、鉗子先端部７０を案内可能な幅に形成された誘導溝９０Ａが配された取付具９０が接続されている。取付具９０の中心には、鉗子挿入部７１が挿通可能な中心孔９０Ｂが形成されている。
この誘導溝９０Ａは、鉗子挿入部７１の先端を取付具９０の中心孔９０Ｂ内に配して鉗子先端部７０の第１の連結部材８２を誘導溝９０Ａ内に挿入したときに突状部８３Ｂを貫通孔８２Ａに挿入でき、鉗子先端部７０の中心軸Ｃ２と鉗子挿入部７１の中心軸Ｃ３とが一致する方向に鉗子先端部７０を移動しながら突状部８３Ｂと貫通孔８２Ａとを係合するとともに、切欠部８６Ａから操作管フランジ部８５を挿入し規制部８６Ｂに当接させて中心孔９０Ｂに鉗子先端部７０を誘導する際の軌跡に合わせて形成されている。
【００４２】
鉗子先端部７０を鉗子挿入部７１に装着する際には、第１の連結部材８２を誘導溝９０Ａ内に挿入して貫通孔８２Ａに突状部８３Ｂを挿入する。
その状態で鉗子挿入部７１を少し先端側に送り出した後、鉗子先端部７０の先端側を誘導溝９０Ａに沿って突状部８３Ｂの突出方向に湾曲させ、さらに、第１の係合手段８０を回転中心として中心軸Ｃ２と中心軸Ｃ３とが一致する方向に回転し、誘導溝９０Ａに沿わせながら操作管フランジ部８５を切欠部８６Ａに挿入して規制部８６Ｂに当接させる。
【００４３】
その後は、上述と同様の操作によって鉗子挿入部７１を送り出して所定の処置を行い、処置を終了した後は、鉗子挿入部７１を巻回し、第１の係合手段８０及び第２の係合手段８２とを取付具９０内まで巻き取った際に、上述とは逆の方向に操作して鉗子先端部７０を鉗子挿入部７１から取り外す。
こうして、鉗子先端部７０を他の処置具の先端部に交換することによって、長い処置具挿入部の取り扱いをさらに容易に行うことができる。
【００４４】
また、鉗子挿入部９５が、図１４（ａ）に示すように、操作管部１１と操作ワイヤ部１２とに対してそれぞれ進退自在とされて操作管部１１と操作ワイヤ部１２との間に配されたチューブ９６を備えているとしても構わない。
このチューブ９６を備えることによって、操作管部１１と操作ワイヤ部１２との間の摺動抵抗をより低減させることができ、スムーズな操作を行うことができる。
そして、このチューブ９６には図１４（ｂ）、（ｃ）に示すように、可撓性を向上させるために表面に複数の切り込み９６Ａを配してもよい。
【００４５】
（付記項１）
生体に処置を行う処置部を先端部側に有し、内視鏡の鉗子チャンネルに挿通可能な処置具挿入部と、
該処置具挿入部の基端部側を回転中心近傍位置に固定するとともに、該基端部以外の部分を巻回して収納する巻回部を有する回転ドラムと、
該回転ドラムを回転可能に支持するとともに、前記処置具挿入部の先端部側を外部へと導出する開口部を有するハウジングとを備え、
前記回転ドラムの外周面に開口するとともに前記回転ドラムの厚さ方向に向かって漸次傾斜して前期処置具挿入部をガイドする誘導傾斜面を形成し、前記処置具挿入部を内部に収納する穴部が前記回転ドラムの外周面近傍に配され、
前記穴部の穴部開口が前記ハウジングの前記開口部と対向する位置に配されていることを特徴とする内視鏡用処置具。
【００４６】
（付記項２）
生体に処置を行う処置部を先端部側に有し、内視鏡の鉗子チャンネルに挿通可能な処置具挿入部と、
該処置具挿入部の基端部側を回転中心近傍位置に固定するとともに、該基端部以外の部分を巻回して収納する巻回部を有する回転ドラムと、
該回転ドラムを回転可能に支持するとともに、前記処置具挿入部の先端部側を外部へと導出する開口部を有するハウジングとを備え、
前記回転ドラムの隅部が面取りされて傾斜面とされ、
該傾斜面に開口するとともに前記回転ドラムの厚さ方向に向かって前記処置具挿入部を内部に収納する穴部が前記回転ドラムの外周面近傍に配され、
前記ハウジングの前記傾斜面と対向する位置に、前記傾斜面と略平行とされて前記処置具挿入部を前記穴部にガイドする誘導傾斜面が形成され、
前記ハウジングの前記開口部と前記穴部の穴部開口とが対向して配されていることを特徴とする内視鏡用処置具。
【００４７】
この内視鏡用処置具は、処置具挿入部の巻き取りの際、開口部からハウジング内部に挿入した処置具挿入部を誘導傾斜面に当接させながら穴部内に巻き取ることによって、穴部内に処置具挿入部を順に挿入させることができる。この際、穴部の外周面側の側面によって処置具挿入部が回転ドラムの径方向外方へ拡開するのを規制することができるとともに、拡開しようとする力が回転ドラムをさらに回転させるので、処置具挿入部を安定して巻回することができる。
【００４８】
（付記項３）
前記開口部の開口幅と前記穴部開口の開口幅とが、前記処置具挿入部の外径と略同一の大きさとされていることを特徴とする付記項１又は２に記載の内視鏡用処置具。
この内視鏡用処置具は、処置具挿入部の巻き取りの際、処置具挿入部を穴部内で重なるのを抑えて巻回することができる。  
【図面の簡単な説明】
【００４９】
【図１】本発明の第１の実施形態に係る鉗子を内視鏡に装着する際の状態を示す説明図である。
【図２】本発明の第１の実施形態に係る鉗子を示す斜視図である。
【図３】図２のＡ−Ａ断面図である。
【図４】本発明の第１の実施形態に係る鉗子の鉗子挿入部を示す（ａ）（ｂ）：側面図、（ｃ）：（ａ）のＣ−Ｃ断面図、（ｄ）（ｂ）のＤ−Ｄ断面図である。
【図５】図３のＢ−Ｂ断面図である。
【図６】本発明の第１の実施形態に係る鉗子の案内部近傍を示す拡大図である。
【図７】本発明の第２の実施形態に係る鉗子を示す斜視図である。
【図８】本発明の第２の実施形態に係る鉗子を内視鏡に装着して（ａ）：鉗子チャンネル内に鉗子挿入部を挿入した状態、（ｂ）：鉗子挿入部を全て外した状態を示す説明図である。
【図９】本発明の第３の実施形態に係る鉗子を示す斜視図である。
【図１０】図９のＥ−Ｅ断面図である。
【図１１】本発明の第４の実施形態に係る鉗子を示す斜視図である。
【図１２】図１１のＦ−Ｆ断面図である。
【図１３】本発明に係るその他の実施形態に係る鉗子の（ａ）：取付具近傍を示す斜視図、（ｂ）鉗子挿入部に鉗子先端部を取り付ける状態を示す説明図である。
【図１４】本発明に係るその他の実施形態に係る（ａ）：鉗子挿入部を示す一部断面を含む側面図、（ｂ）チューブを示す側面図である。
【符号の説明】
【００５０】
１、３５、５５、６５  鉗子（内視鏡用処置具）
２  鉗子部（処置部）
３、３８  内視鏡
５  鉗子チャンネル
６、７１  鉗子挿入部（処置具挿入部）
７、５６、６６  回転ドラム
８、３７、６１、８８  開口部
１０、３６、６０、６９、８７  ハウジング
２２Ａ、５７  外周面（巻回部）
２５  案内部
２５Ａ  湾曲部
【図１】
2006068075.tif 000003
【図２】
2006068075.tif 000004
【図３】
2006068075.tif 000005
【図４】
2006068075.tif 000006
【図５】
2006068075.tif 000007
【図６】
2006068075.tif 000008
【図７】
2006068075.tif 000009
【図８】
2006068075.tif 000010
【図９】
2006068075.tif 000011
【図１０】
2006068075.tif 000012
【図１１】
2006068075.tif 000013
【図１２】
2006068075.tif 000014
【図１３】
2006068075.tif 000015
【図１４】
2006068075.tif 000016